(57)【要約】【課題】本考案は、速足で歩いたり走ったりしても足の土踏まず部や踵部が横方向に横ぶれするのを防いで履き心地の良い横ぶれ防止機能付き靴を提供する。【解決手段】スニーカー１０の足を収容する靴本体１２の底面部にはミッドソール１４が配設され、ミッドソール１４の底面部にはアウトソール１６が配設されている。前記アウトソール１６のインサイドにはスニーカー１０の土踏まず部２０から踵部２２にかけて側面視略三角形状のインサイド横ぶれ防止片２４が立ち上がった状態で一体形成されている。また、アウトソール１６のアウトサイドにはスニーカー１０の土踏まず部２０から踵部２２にかけて側面視略三角形状のアウトサイド横ぶれ防止片２６が立ち上がった状態で一体形成されている。【選択図】　　図１
0003099444.tif 000002
【実用新案登録請求の範囲】
【請求項１】
足を収容する靴本体と、この靴本体の底部に設けられたアウトソールと、このアウトソールのインサイドに立設されて少なくとも前記靴本体の踵部のインサイドに設けられたインサイド横ぶれ防止片と、前記アウトソールのアウトサイドに立設されて少なくとも前記靴本体の踵部のアウトサイドに設けられたアウトサイド横ぶれ防止片と、を有してなることを特徴とする横ぶれ防止機能付き靴。
【請求項２】
足を収容する靴本体と、この靴本体の底面部に設けられたミッドソールと、このミッドソールの底面部に設けられたアウトソールと、このアウトソールのインサイドに立設されて少なくとも前記靴本体の踵部のインサイドに設けられたインサイド横ぶれ防止片と、前記アウトソールのアウトサイドに立設されて少なくとも前記靴本体の踵部のアウトサイドに設けられたアウトサイド横ぶれ防止片と、を有してなることを特徴とする横ぶれ防止機能付き靴。
【請求項３】
足を収容する靴本体と、この靴本体の底面部に設けられたミッドソールと、このミッドソールの底面部に設けられたアウトソールと、このアウトソールのインサイドに立設されて前記靴本体の土踏まず部から踵部にかけて設けられたインサイド横ぶれ防止片と、前記アウトソールのアウトサイドに立設されて前記靴本体の土踏まず部から踵部にかけて設けられたアウトサイド横ぶれ防止片と、を有してなることを特徴とする横ぶれ防止機能付き靴。
【請求項４】
足を収容する靴本体と、この靴本体の底面部に設けられたミッドソールと、このミッドソールの底面部に設けられたアウトソールと、このアウトソールのインサイドに立設されて前記靴本体の土踏まず部から踵部にかけて設けられた側面視略三角形状のインサイド横ぶれ防止片と、前記アウトソールのアウトサイドに立設されて前記靴本体の土踏まず部から踵部にかけて設けられた側面視略三角形状のアウトサイド横ぶれ防止片と、を有してなることを特徴とする横ぶれ防止機能付き靴。
【請求項５】
前記インサイド横ぶれ防止片と前記アウトサイド横ぶれ防止片をゴムで形成したことを特徴とする請求項１、請求項２、請求項３、請求項４記載の横ぶれ防止機能付き靴。
【考案の詳細な説明】
【０００１】
【考案の属する技術分野】
本考案は、靴に関し、詳しくは靴を履いて速足等で歩いたりしても足の踵部等が横方向に横ぶれするのを防ぐことにより、足の踵部等が安定して履き心地の良い横ぶれ防止機能付き靴に関する。
【０００２】
【従来の技術】
スニーカー等を履いて靴紐をきつく結ぶと足の爪先部や足の甲部は靴紐よって締め付けられるが、足の土踏まず部や踵部は靴本体の下部に位置しているため靴紐によってあまり締め付けられない。
このため、速足で歩いたり走ったりすると足の土踏まず部や踵部が横方向に横ぶれして安定せずスニーカーの履き心地が低下するという不具合がある。
【０００３】
【考案が解決しようとする課題】
本考案は上記事実に鑑みなされたものであり、速足で歩いたり走ったりしても足の土踏まず部や踵部が横方向に横ぶれするのを防いで履き心地の良い横ぶれ防止機能付き靴を提供するものである。
【０００４】
【課題を解決するための手段】
請求項１の考案は、足を収容する靴本体と、この靴本体の底部に設けられたアウトソールと、このアウトソールのインサイドに立設されて少なくとも前記靴本体の踵部のインサイドに設けられたインサイド横ぶれ防止片と、前記アウトソールのアウトサイドに立設されて少なくとも前記靴本体の踵部のアウトサイドに設けられたアウトサイド横ぶれ防止片と、を有してなることを特徴としている。
請求項２の考案は、足を収容する靴本体と、この靴本体の底面部に設けられたミッドソールと、このミッドソールの底面部に設けられたアウトソールと、このアウトソールのインサイドに立設されて少なくとも前記靴本体の踵部のインサイドに設けられたインサイド横ぶれ防止片と、前記アウトソールのアウトサイドに立設されて少なくとも前記靴本体の踵部のアウトサイドに設けられたアウトサイド横ぶれ防止片と、を有してなることを特徴としている。
請求項３の考案は、足を収容する靴本体と、この靴本体の底面部に設けられたミッドソールと、このミッドソールの底面部に設けられたアウトソールと、このアウトソールのインサイドに立設されて前記靴本体の土踏まず部から踵部にかけて設けられたインサイド横ぶれ防止片と、前記アウトソールのアウトサイドに立設されて前記靴本体の土踏まず部から踵部にかけて設けられたアウトサイド横ぶれ防止片と、を有してなることを特徴としている。
請求項４の考案は、足を収容する靴本体と、この靴本体の底面部に設けられたミッドソールと、このミッドソールの底面部に設けられたアウトソールと、このアウトソールのインサイドに立設されて前記靴本体の土踏まず部から踵部にかけて設けられた側面視略三角形状のインサイド横ぶれ防止片と、前記アウトソールのアウトサイドに立設されて前記靴本体の土踏まず部から踵部にかけて設けられた側面視略三角形状のアウトサイド横ぶれ防止片と、を有してなることを特徴としている。
請求項５の考案は、前記インサイド横ぶれ防止片と前記アウトサイド横ぶれ防止片をゴムで形成したことを特徴としている。
【０００５】
【考案の実施の形態】
図１〜図５には本考案に係る横ぶれ防止機能付き靴の一実施例が示されている。なお、この実施例では横ぶれ防止機能付き靴をスニーカーに適用して説明する。
図１及び図２に示されるように、横ぶれ防止機能付き靴が適用されたスニーカー１０の足を収容する靴本体１２の底面部には合成樹脂材で形成された比較的肉厚のミッドソール１４が形成されている。
また、前記ミッドソール１４の底面部には一定の強度を有すると共に弾力性を有するゴムで形成されたアウトソール１６が配設されてミッドソール１４に接着固定されている。従って、前記ミッドソール１４は靴本体１２とアウトソール１６とによって挟まれた状態となっている。
図１、図３及び図４に示されるように、前記アウトソール１６のインサイドにはスニーカー１０の土踏まず部２０から踵部２２にかけて側面視略三角形状のインサイド横ぶれ防止片２４が立ち上がった状態で一体形成されている。このインサイド横ぶれ防止片２４は前記ミッドソール１４と靴本体１２の下部のインサイドに接着されている。
また、アウトソール１６のアウトサイドにはスニーカー１０の土踏まず部２０から踵部２２にかけて前記インサイド横ぶれ防止片２４と同一形状の側面視略三角形状のアウトサイド横ぶれ防止片２６が立ち上がった状態で一体形成されている。このアウトサイド横ぶれ防止片２６は前記ミッドソール１４と靴本体１２の下部のアウトサイドに接着されている。
従って、図５に示されるように、前記スニーカー１０のミッドソール１４と靴本体１２は土踏まず部２０から踵部２２にかけて前記インサイド横ぶれ防止片２４とアウトサイド横ぶれ防止片２６とによって両サイドから挟まれた状態となっている。
図２に示されるように、前記アウトソール１６の底面１６Ａには溝３０や突起３２が複数形成され、アウトソール１６の不用意な滑りを防止できるようになっている。
図１に示されるように、前記靴本体１２の甲皮部３４には紐穴３６が複数設けられ、紐穴３６には靴紐３８が挿通されている。
【０００６】
次に、実施例のスニーカー１０の作用について説明する。
前記スニーカー１０の靴本体１２に足を収容して靴紐３８を締め付けると足の爪先部及び甲部は靴紐３８よって強く締め付けられる。
また、足の土踏まず部や踵部は前記靴本体１２の下部に位置しているため靴紐３８によっては強く締め付けられないが、スニーカー１０のインサイドに立設された一定の強度を有すると共に弾力性を有するゴムで形成されたインサイド横ぶれ防止片２４とアウトサイドに立設されたアウトサイド横ぶれ防止片２６とによって挟まれる。
このため、足の土踏まず部及び踵部は前記インサイド横ぶれ防止片２４とアウトサイド横ぶれ防止片２６とによって保持された状態になるので、速足で歩いたり走ったりしても土踏まず部や踵部は横方向に横ぶれしないで安定している。
従って、このスニーカー１０を履いて速足で歩いたり走ったりしても足とスニーカー１０がフィットしているので横ぶれせずスニーカー１０の履き心地が悪くなることはない。
なお、前記靴本体１２の両サイドにはインサイド横ぶれ防止片２４とアウトサイド横ぶれ防止片２６が立設されているが、インサイド横ぶれ防止片２４とアウトサイド横ぶれ防止片２６の先端部は靴本体１２の下部で止まっているためスニーカー１０を履いた場合にインサイド横ぶれ防止片２４とアウトサイド横ぶれ防止片２６が足に圧迫感を与えることはない。
【０００７】
なお、実施例では本考案の横ぶれ防止機能付き靴をスニーカー１０に適用した例を示したが、本考案が適用される靴はスニーカー１０に限定されるものではなく、他のタイプの靴に適用してもよいことは勿論である。
また、実施例では前記インサイド横ぶれ防止片２４とアウトサイド横ぶれ防止片２６をスニーカー１０の土踏まず部２０から踵部２２にかけて形成したが、前記インサイド横ぶれ防止片２４とアウトサイド横ぶれ防止片２６はスニーカー１０の踵部２２に限定して設けてもよい。
なお、実施例では前記インサイド横ぶれ防止片２４とアウトサイド横ぶれ防止片２６の形状を側面視略三角形状に形成したが、前記インサイド横ぶれ防止片２４とアウトサイド横ぶれ防止片２６の形状は側面視略三角形状に限定されるものでないことは勿論である。
【０００８】
【考案の効果】
本考案の横ぶれ防止機能付き靴は、靴のインサイドとアウトサイドに立設されたインサイド横ぶれ防止片とアウトサイド横ぶれ防止片によって足の踵部等が挟まれた状態で保持されるので、速足で歩いたり走ったりしても足の踵部等は安定して横方向に横ぶれしないため、足と靴がフィットして靴の履き心地を一段と向上させることができるという優れた効果を有する。
【図面の簡単な説明】
【図１】実施例のスニーカーをアウトサイドから見た側面図である。
【図２】実施例のスニーカーを下方斜めから見た状態の斜視図である。
【図３】実施例のスニーカーのアウトソールをアウトサイドから見た側面図である。
【図４】実施例のスニーカーのアウトソールの上方斜めから見た状態の斜視図である。
【図５】実施例のスニーカーのアウトソールの縦断面図である。
【符号の説明】
１０　　スニーカー
１２　　靴本体
１４　　ミッドソール
１６　　アウトソール
２０　　土踏まず部
２２　　踵部
２４　　インサイド横ぶれ防止片
２６　　アウトサイド横ぶれ防止片
【図１】
0003099444.tif 000003
【図２】
0003099444.tif 000004
【図３】
0003099444.tif 000005
【図４】
0003099444.tif 000006
【図５】
0003099444.tif 000007